(57)【要約】【課題】  光り輝く色彩が変化する興味あふれる装飾装置とする。【解決手段】  基板２上に所定の間隔を保って設けられた互いに発光色の異なる複数の発光体３Ａ，３Ｂと、これら複数の発光体３Ａ，３Ｂを所定の順序に従って点灯させる点灯駆動手段と、上記基板２に接する面に上記複数の発光体３Ａ，３Ｂ夫々を各別に収納する発光凹部１４を有する所定の体積を有する透光性材からなる複数のブロック体１２Ａ，…とからなる。複数のブロック体１２Ａ，…は、相互に隣接して設けて組み立てるとともに、隣接するブロック体１２Ａ，…と接しない面は前記発光体３Ａ，３Ｂから発せられる光線を反射する平面、曲面又は凹凸面を形成している装飾体１２となっている。【選択図】      図１
2005138452.tif 000002
【特許請求の範囲】
【請求項１】
基板上に所定の間隔を保って設けられた互いに発光色の異なる複数の発光体と、これら複数の発光体を所定の順序に従って点灯させる点灯駆動手段と、上記基板に接する面に上記複数の発光体夫々を各別に収納する発光凹部を有する所定の体積を有する透光性材からなる複数のブロック体とからなり、
前記複数のブロック体は、相互に隣接して設けられるとともに、隣接するブロック体と接しない面は前記発光体から発せられる光線を反射する平面、曲面又は凹凸面に形成されている装飾体となっていることを特徴とする装飾装置。
【請求項２】
請求項１に記載の装飾装置において、複数のブロック体は、外形形状の異なるブロック体を基板上に並べて組み立てられて一つの装飾体を形成していることを特徴とする装飾装置。
【請求項３】
請求項２に記載の装飾装置において、複数のブロック体は、所定の厚さを有する一対の半円形状のブロック体と、これら一対の半円形状のブロック体の一つを縦方向に複数に分割して形成された複数のブロック体と、これら複数のブロック体を一つの半円形状となるように並べるとともに、上記一対の半円形状のブロック体でその並べられて形成された半円形状の両側を挟持して一つの装飾体を形成したものであることを特徴とする装飾装置。
【請求項４】
請求項１に記載の装飾装置において、複数のブロック体は、一部のブロック体は基板と接する面と反対の面に所定深さの組立用凹みを有し、他のブロック体はその一部のブロック体に設けられている所定深さの組立用凹みに嵌合して組み立てられて一つの装飾体を形成していることを特徴とする装飾装置。
【請求項５】
請求項４に記載の装飾装置において、複数のブロック体は、基板と接する面に所定の深さの組立用凹みを有するブロック体をこの組立用凹みの底と同じ高さを有する直方体状のブロック体を挟んで複数個並べ、他のブロック体はその直方体状のブロック体上に位置し、かつその組立用凹みに嵌合して組み立てられて一つの装飾体を形成していることを特徴とする装飾装置。
【請求項６】
請求項４に記載の装飾装置において、複数のブロック体は、基板と接する面に所定の深さの組立用凹みを有するブロック体を複数個並べ、他のブロック体はその組立用凹みに嵌合して組み立てられて一つの装飾体を形成していることを特徴とする装飾装置。
【請求項７】
請求項１ないし６のいずれかに記載の装飾装置において、複数のブロック体は、箱体上に設けられる枠体内に配置されることを特徴とする装飾装置。
【請求項８】
請求項１ないし７のいずれかに記載の装飾装置において、複数のブロック体は、一つの透明又は半透明材からなる所定の外形形状からなる全体カバーで覆われていることを特徴とする装飾装置。
【発明の詳細な説明】
【技術分野】
【０００１】
本発明は装飾装置に係り、例えば卓上用として好適で、しかも各種の色彩を光り輝かせて変化させることができるようにし、例えば夜間において光り輝いてパレードする山車のイメージが得られるようにした装飾装置に関する。
【背景技術】
【０００２】
従来、この種の卓上用の装飾装置としては、有名な建築物や構造物などを模した置物、あるいは抽象的な形態を呈した置物などがあり、これらは、特に観光地やイベント会場、あるいは遊園地などで販売されている。
【特許文献１】特になし。
【発明の開示】
【発明が解決しようとする課題】
【０００３】
しかしながら、上記従来の装飾装置は、外観形態に重点をおいたものであって、色彩が施されていても変化することがないので、面白味に欠けるという問題点があった。そこで本発明は、上記欠点を解決するためになされたものであって、その目的は、光り輝く色彩が変化し、しかもその変化は色彩が豊富で、例えば夜間においてパレードする山車が光り輝いているようなイメージを演出することのできる装飾装置を提供することにある。
【課題を解決するための手段】
【０００４】
本発明に係る装飾装置１Ａ，１Ｂ，１Ｃは、上記目的を達成するために、基板２上に所定の間隔を保って設けられた互いに発光色の異なる複数の発光体３と、これら複数の発光体３を所定の順序に従って点灯させる点灯駆動手段と、上記基板２に接する面に上記複数の発光体３夫々を各別に、一つ毎に収納する発光凹部１４を有する所定の体積を有する透光性材からなる複数のブロック体１２Ａ，…とからなり、これら複数のブロック体１２Ａ，…は、相互に隣接して設けられるとともに、隣接するブロック体１２Ａ，…と接しない面は前記発光体３から発せられる光線を反射する平面、曲面又は凹凸面に形成されている装飾体１２となっていることからなることを特徴としている。この構成において、発光体３が発光すると装飾体１２自体が様々に輝き、各ブロック体１２Ａ，…の平面、曲面又は凹凸面で輝きが強調される。
また、本発明に係る装飾装置１Ａにおいて、複数のブロック体１２Ａ，…は、外形形状の異なる複数のブロック体１２Ａ，…を基板２上に並べて組み立てられて一つの装飾体１２を形成していることを特徴としている。
そして、本発明に係る装飾装置１Ａにおいて、複数のブロック体１２Ａ，…は、所定の厚さを有する一対の半円形状のブロック体１２Ａと、これら一対の半円形状のブロック体１２Ａの一つを縦方向に複数に分割して形成された複数のブロック体１２Ｂ，…と、これら複数のブロック体１２Ａ，…を一つの半円形状となるように並べるとともに、上記一対の半円形状のブロック体１２Ａでその並べられて形成された半円形状の両側を挟持して一つの装飾体１２を形成したものであることを特徴としている。
さらに、本発明に係る装飾装置１Ｂ，１Ｃにおいて、複数のブロック体１２Ｅ，…は、一部のブロック体１２Ｅ，…は基板２と接する面と反対の面に所定深さの組立用凹みを有し、他のブロック体１２Ｇはその一部のブロック体１２Ｅ，…に設けられている所定深さの組立用凹みに嵌合して組み立られて一つの装飾体１２を形成しているを特徴としている。
また、本発明に係る装飾装置１Ｂにおいて、複数のブロック体１２Ｅ，…は、基板２と接する面に所定の深さの組立用凹みを有するブロック体１２Ｅ，…をこの組立用凹みの底と同じ高さを有する直方体状のブロック体１２Ｆ，…を挟んで複数個並べ、他のブロック体１２Ｆ，…がその直方体状のブロック体１２Ｆ，…に位置し、かつその組立用凹みに嵌合して組み立てられて一つの装飾体１２を形成していることを特徴としている。
そして、本発明に係る装飾装置１Ｃにおいて、複数のブロック体１２Ｈ，…は、基板２と接する面に所定の深さの組立用凹みを有するブロック体１２Ｈ，…を複数個並べ、他のブロック体１２Ｆがその組立用凹みに嵌合して組み立てられて一つの装飾体１２を形成していることを特徴としている。
さらに、本発明に係る装飾装置１Ａ，１Ｂ，１Ｃにおいて、複数のブロック体１２Ａ，…は、箱体６上に設けられる枠体１０内に配置されることを特徴としている。
また、本発明に係る装飾装置１Ａ，１Ｂ，１Ｃにおいて、複数のブロック体１２Ａ，…は一つの透明又は半透明材からなる所定の外形形状からなる全体カバー１３Ａ，１３Ｂ，１３Ｃで覆われていることを特徴としている。
【発明の効果】
【０００５】
本発明に係る装飾装置１Ａ，１Ｂ，１Ｃは、複数のブロック体１２が、その発光凹部１４内に収納した発光体３Ａ，３Ｂを点灯させる点灯駆動手段により所定の順序に従って点灯させて様々な色彩で発光するので、色彩の変化に富んだ装飾効果の優れたものとすることができる。
【０００６】
また、本発明に係る装飾装置１Ａ，１Ｂ，１Ｃは、外形形状の異なるブロック体１２Ａ，…を基板２上に並べて組立てられている一つの装飾体１２を構成しているので、装飾体１２全体の光り輝く各種の色彩の変化を楽しむことができる。
【０００７】
そして、本発明に係る装飾装置１Ａは、半円形状のブロック体１２Ａ，…基本形としているので、一つの蒲鉾形の装飾体１２を容易に作ることができる。
【０００８】
さらに、本発明に係る装飾装置１Ｂ，１Ｃは、基板２と接する面と反対の面に組立用凹みを有するブロック体１２Ａ，…を有しているので、その組立用凹みを利用して他のブロック体１２Ａ，…との組合せを容易にすることができる。
【０００９】
また、本発明に係る装飾装置１Ｂは、組立用凹みを有するブロック体１２Ｅ，１２Ｇの他に直方体状のブロック体１２Ｆを用いて一つの装飾体１２を組立てているので、ブロック体１２Ｅ，１２Ｆ，１２Ｇ間の接触面数が多い複雑な組立ての装飾体１２を容易に作ることができる。
【００１０】
そして、本発明に係る装飾装置１Ｃは、組立用凹みを有するブロック体１２Ｈを有しているので、その組立用凹み相互の組合せを利用して一つの装飾体１２を容易に組立てることができる。
【００１１】
さらに、本発明に係る装飾装置１Ａ，１Ｂ，１Ｃにおいて、複数のブロック１２Ａ，…は枠体１０内に配置されるので、複数のブロック体１２Ａ，…相互の組立てを容易に行うことができる。
【００１２】
また、本発明に係る装飾装置１Ａ，１Ｂ，１Ｃにおいて、複数のブロック体１２Ａ，…は全体カバー１３Ａ，１３Ｂ，１３Ｃで覆われているので、この全体カバー１３Ａ，１３Ｂ，１３Ｃを、例えば遊園地の夜間におけるパレードの山車の象徴的な形態に似せたものとすることによりさらに装飾効果を高めることができる。
【発明を実施するための最良の形態】
【００１３】
以下、本発明を実施するための最良の形態の一例を図１乃至図５に基づいて説明する。装飾装置１Ａは、扁平な板材からなる基板２上に所定の間隔を保って複数の発光体３Ａ，３Ｂを有している。ここでは例えば７個の発光体３Ａ，３Ｂが設けられていて、このうち例えば５個の発光体３Ａは、中央に直列状に所定の間隔を保って基板２上に配置され、残りの２個の発光体３Ｂは、直列状に配置された中央の発光体３Ａを中間にしてその両側に配置され、全体として十字状に配置されている。
【００１４】
上記発光体３Ａ，３Ｂは、赤色、青色又は黄色等の所定の発色光を放つことのできるＬＥＤから構成されていて、隣接する互いの発光体３Ａ，３Ｂ同士が異なる発色となるように決められて基板２上に配置されている。各発光体３Ａ，３Ｂは同じ照度とすることができるが後述する装飾体１２の大きさ（体積）に合わせたものとすることができる。また、この発光体３Ａ，３Ｂは、豆電球とすることも可能である。しかし、上述のように発光体３Ａ，３ＢをＬＥＤとすると、消費電力が少なくて済むとともに、高寿命化を図ることができ、さらに発熱を抑えることができるなどの効果を得ることができる。
【００１５】
上記基板２は、上面にこの基板２の位置決めを行う突起４を有し、内部に例えば単三乾電池等からなる複数本（図示の例では２本）の乾電池５を基板２の下方から脱着自在に収納することができ、さらに発光体３Ａ，３Ｂを点灯駆動する電気回路（図５参照）を収納することができる箱体６上に載置されるように構成されている。また、７は乾電池５から供給される電源をＯＮ・ＯＦＦするメインスイッチ（図５の符号２２参照）の操作子であり、箱体６の一つの側壁面に設けられている切欠窓８内で摺動でき、かつその一部分が切欠窓８から突出できるように構成されている。そして、９は蓋体であって、収納されている乾電池５を覆うとともに、交換時には取外すことができるように箱体６の底壁面側に設けられている。
【００１６】
図１中、符号１０は箱体６の上面に設けられる枠体であって、この枠体１０の内側は所定の容積を有する開口部１１に形成され、この形成された開口部１１内には、後述するブロック体１２Ａ，…及びこれらブロック体１２Ａ，…を覆って過不足なく収納する全体カバー１３Ａが収納配置されている。すなわち、この枠体１０の開口部１１内には、ブロック体１２Ａ，…を収容した全体カバー１３Ａが嵌め込まれ、そして、その枠体１０は、図示しない係合ねじを介して箱体６に接合されるように構成されている。
【００１７】
装飾体１２は、複数のブロック体１２Ａ，…１２Ｄからなり、これらはアクリル樹脂等の光透過性に優れた透明の合成樹脂材からなる中実体で作られていて、外形形状が異なるものが互いに組合せられるものとして構成されている。このブロック体１２Ａ，…１２Ｄは、完全な無色透明とすることができる他に、乳白色やその他の着色が施された、いわゆる半透明状のものとすることができる。しかし、発光体３Ａ，３Ｂの光線を必要以上に弱めるものは好ましくない。そして、いずれのブロック体１２Ａ，…１２Ｄも基板２に接する底面は扁平に形成され、この扁平な底面の一部に１個の発光体３Ａ，３Ｂが収納挿入される大きさに形成された発光凹部１４が設けられている（図４参照）。
【００１８】
図１中に示される装飾体１２は、所定の厚さを有する円形状の、いわゆる蒲鉾形の２個のブロック体１２Ａと、この蒲鉾形のブロック体１２Ａとほぼ同様なブロックを均等に縦割りに５つに分割して形成された１個の直方体状の装飾体１２Ｂ、上面が傾斜した２個のブロック体１２Ｃ及び三角形状の２個のブロック体１２Ｄとから構成されている。また、これら複数のブロック体１２Ａ，…１２Ｄは、互いに接する面は扁平（平面）に形成されていて、間隙を生じることなく接することができるように形成されている。そして、他のブロック体１２Ａ，…と接しない平面又は曲面には、必要に応じて文字や記号等により凹凸が形成されている。図１の例では、蒲鉾形の２個の装飾体１２Ａの平面に文字例えば「ＡＢＣ」が形成されている。また、凹凸は、小さい凹凸を有する粗面とすることもでき、いわゆるダイヤモンドカットで形成することもできる。
【００１９】
上記全体カバー１３Ａは、透明又は半透明からなる合成樹脂材からなり、上記複数のブロック体１２Ａ，…１２Ｄの組立体である装飾体１２全体を覆うことができる大きさに形成され、図１の例では、その全体的な外形形状は蒲鉾形を呈している。この全体カバー１３Ａは、完全な無色透明とすることができる他に、乳白色やその他の着色が施された、いわゆる半透明のものとすることもできる。しかし、発光体３Ａ，３Ｂの光線を必要以上に弱めるものは好ましくない。また、この全体カバー１３Ａの外形形状は蒲鉾形以外の形状とすることができる。例えば、この装飾装置１Ａが遊園地等で販売されるものであるならば、その遊園地の象徴的な建物の形状とすることができ、また、夜間においてのパレードする山車の外観形状を模したものとすることもできる。
【００２０】
また複数のブロック体１２Ａ，…を組合せて一つの纏まった外形となる装飾体１２は、これの全体を装飾カバー１５によって覆うことができる。この装飾カバー１５は、例えば透明な小円形部を多数配列した黒色のフィルムシート材から成るものとして、その小円形部のそれぞれがあたかも照明ランプの如き輝きを印象づけるようにするものとさせるのである。なお、小円形部は打抜状に形成することもでき、またシート材自体は黒色以外にすることも可能である。
【００２１】
図５中、符号２０はスイッチング回路であって、複数の発光体３Ａ，３Ｂを点灯駆動するための半導体素子群で構成されている。そして、このスイッチング回路２０は、ＣＰＵを中心に形成されている制御回路２１によりＯＮ・ＯＦＦ制御されるように構成されている。すなわち、この制御回路２１は、ＣＰＵ、メモリ及びスイッチ駆動ドライバを備えていて、メモリに予め記憶されているプログラムに従って複数の発光体３Ａあるいは３Ｂを所定の順序に従って点灯するようにスイッチング回路２０をＯＮ・ＯＦＦ制御できるように構成されている。メモリに予め記憶されるプログラムとしては、複数の発光体３Ａあるいは３Ｂを前側から後側にあるいは左側から右側にかけて順に、あるいは一つおきに、又は２個一緒などのように点灯される発光体３Ａあるいは３Ｂの点灯順序及び点灯数を制御するだけでなく、点灯時間や点灯時の照度も制御できるなどの多くの内容が記憶されている。なお、この制御回路２１は、図示しないマイクロホンで集音した音信号の強弱に対応させて発光体３Ａ，３Ｂを点灯駆動できるようにしてもよく、あるいは、図示しない音発生器（音楽発生器）から発生される音に合わせて発光体３Ａ，３Ｂを点灯駆動させるようにしてもよい。
【００２２】
またこのスイッチング回路は、例えば中央に配列することで、外側面を光らせるブロック体１２Ｂ，…の発光凹部１４に収納される発光体３Ａ，…群と、両側に配列することで、文字部分を光らせるブロック体１２Ａの発光凹部１４に収納される発光体３Ｂ，…群とを別個にＯＮ・ＯＦＦ制御で点灯させるようにすることもできる。
【００２３】
図５中、符号２２は乾電池５から発光体３Ａ，３Ｂ及び制御回路２１に駆動電源を供給するためのメインスイッチであり、上記操作子７で操作されるように構成されている。なお、この図１では、電源として乾電池５としたが、これを商用電源から変圧器を介して得るようにすることも可能である。
【００２４】
上記構成からなる装飾装置１Ａは、操作子７により電源がＯＮされると、複数の発光体３Ａあるいは３Ｂは、制御回路２１のメモリにプログラムされている順序に従って点灯される。この点灯順序及び点灯数は様々であり、また意外性を含んでいるので、極めて色彩の変化に富んだ装飾装置とすることができる。さらに、ブロック体１２Ａ，…の表面は平面及び曲面に形成され、これら面で光線が反射され、しかもこれらの面に文字や記号等により凹凸が形成されているのでこの凹凸により光線の強さが高まって文字や記号が明瞭となり、より装飾効果が高められる特長がある。
【００２５】
また、この装飾装置１Ａは、全体カバー１３Ａも平面及び曲面で形成されているので、光の反射性に優れ、さらに、全体カバー１３Ａを乳白色等のいわゆる半透明材で形成したときは、全体が柔らかい優しい感じのする装飾装置とすることができるとともに、全体カバー１３Ａを特定の形状、例えばおとぎ話に出てくるような建物としたような場合は、メルヘンチックに富んだ装飾装置とすることができる。
【００２６】
図６乃至図９は、本発明に係る他の実施の形態に係る装飾装置１Ｂを示すものである。この装飾装置１Ｂは、基板２上に直列状に複数個（図示の例では６個）の発光体３Ｃを有している。また、装飾体１２は基板２と接する面と反対の面に組立用凹みを有する３個のブロック体１２Ｅと、これら組立用凹みを有するブロック体１２Ｅ間に挟まれ、この組立用凹みの底と同じ高さを有する２個の直方体状のブロック体１２Ｆと、上記３個の組立用凹みを有するブロック体１２Ｅの組立用凹みに嵌合され、さらに２個の直方体状のブロック体１２Ｆ上に位置でき、かつ１個の発光体３Ｃを収納することのできる、１個の平面でキ字状を呈するブロック体１２Ｇから構成されている。つまり、これら複数のブロック体１２Ｅ，…１２Ｇは、その外側面の全てが平面から形成されている。そして、これら複数のブロック体１２Ｅ，…１２Ｇの全部を収容し、覆うための全体カバー１３Ｂの外側面も全て平面から形成されている。
【００２７】
上記構成からなる装飾装置１Ｂは、前記した装飾装置１Ａと同様に、メインスイッチ２２の操作子７がＯＮされることで色彩変化に富んだものとすることができ、しかもブロック体１２Ｅ，…１２Ｇ及び全体カバー１３Ｂの外側面が全て平面で作られているので、上記装飾装置１Ａと異なった光の演出効果を得ることができる。
【００２８】
図１０及び図１１は、本発明に係るさらに他の実施の形態に係る装飾装置１Ｃを示すものである。この装飾装置１Ｃは、前記した装飾装置１Ｂと同様に、基板２上に直列状に複数個（図示の例では６個）の発光体３Ｃを有している。装飾体１２は、基板２と接する面と反対側の面の上部の両側が曲面を呈し、中央部に組立用凹みを有する５個のブロック体１２Ｈと、これら５個の装飾体１２Ｈの組立用凹みに嵌合され、かつ１個の発光体３Ｃを収納することができる側面でＬ字状を呈する１個の装飾体１２Ｉから構成されている。そして、全体カバー１３Ｃは前記した装飾装置１Ｂと同様に構成されたものである。
【００２９】
上記構成からなる装飾装置１Ｃも、前記した装飾装置１Ａ，１Ｂと同様に、メインスイッチ２２の操作子７がＯＮされることで色彩の変化に富んだものとすることができ、しかも装飾体１２自体の形状が前記した装飾装置１Ａ，１Ｂの装飾体１２と異なっているので、さらに異なった興味のある光の演出効果を得ることができる。
【００３０】
なお、上記課題を解決しようとする手段の項及び発明の効果の項において符号を付したのは、発明の理解を容易にするためであって、これら符号によって本発明は限定されるものではない。
【図面の簡単な説明】
【００３１】
【図１】本発明の一実施の形態に係る装飾装置の分解斜視図である。
【図２】組立途中の一部切欠斜視図である。
【図３】組立完了後の全体の斜視図である。
【図４】図３における縦断斜視図である。
【図５】電気的構成を示すブロック図である。
【図６】本発明の他の実施の形態に係る装飾装置の分解斜視図である。
【図７】組立途中の斜視図である。
【図８】組立完了後の全体の斜視図である。
【図９】図８における縦断面図である。
【図１０】本発明のさらに他の実施の形態に係る装飾装置の分解斜視図である。
【図１１】組立途中の斜視図である。
【符号の説明】
【００３２】
１Ａ…装飾装置                          １Ｂ…装飾装置
１Ｃ…装飾装置                          ２…基板
３Ａ…発光体                            ３Ｂ…発光体
３Ｃ…発光体                            ４…突起
５…乾電池                              ６…箱体
７…操作子                              ８…切欠窓
９…蓋体                                １０…枠体
１１…開口部                            １２…装飾体
１２Ａ…ブロック体                      １２Ｂ…ブロック体
１２Ｃ…ブロック体                      １２Ｄ…ブロック体
１２Ｅ…ブロック体                      １２Ｆ…ブロック体
１２Ｇ…ブロック体                      １２Ｈ…ブロック体
１２Ｉ…ブロック体
１３Ａ…全体カバー                      １３Ｂ…全体カバー
１３Ｃ…全体カバー
１４…発光凹部                          １５…装飾カバー
２０…スイッチング回路                  ２１…制御回路
２２…メインスイッチ
【図１】
2005138452.tif 000003
【図２】
2005138452.tif 000004
【図３】
2005138452.tif 000005
【図４】
2005138452.tif 000006
【図５】
2005138452.tif 000007
【図６】
2005138452.tif 000008
【図７】
2005138452.tif 000009
【図８】
2005138452.tif 000010
【図９】
2005138452.tif 000011
【図１０】
2005138452.tif 000012
【図１１】
2005138452.tif 000013